(57)【特許請求の範囲】
【請求項１】
被計測者の眼球より前側に設けられた発光部から当該眼球より奥側に向かう光を前眼房を横切るように折り曲げて出射する光出射手段と、
前記前眼房を横切った前記光を受光する受光手段と、
前記眼球の目尻側に配置される前記光出射手段または前記受光手段の一方が、当該眼球の目頭側に配置される当該光出射手段または当該受光手段の他方よりも当該眼球に対して奥側に位置決めされるように、当該光出射手段及び当該受光手段を保持する保持手段と
を備える眼球の光計測装置。
【請求項２】
被計測者の眼球の前眼房を横切るように光を出射する光出射手段と、
前記前眼房を横切った後の前記光を前記眼球より前側に折り曲げ、当該折り曲げた光を当該眼球より前側に設けられた受光部で受光する受光手段と、
前記眼球の目尻側に配置される前記光出射手段または前記受光手段の一方が、当該眼球の目頭側に配置される当該光出射手段または当該受光手段の他方よりも当該眼球に対して奥側に位置決めされるように、当該光出射手段及び当該受光手段を保持する保持手段と
を備える眼球の光計測装置。
【請求項３】
前記保持手段は、前記光出射手段及び前記受光手段の少なくとも一方が前記眼球の露出した領域の範囲外に配置されるように保持することを特徴とする請求項１又は２に記載の眼球の光計測装置。
【請求項４】
前記保持手段は、前記光出射手段及び前記受光手段の両方が前記眼球の露出した領域の範囲外に配置されるように保持することを特徴とする請求項１又は２に記載の眼球の光計測装置。
【請求項５】
前記保持手段は、前記被計測者の顔に接触する端部を有し、当該端部が当該被計測者の顔に接触することで、前記眼球の目尻側に配置される前記光出射手段または前記受光手段の一方が、当該眼球の目頭側に配置される当該光出射手段又は当該受光手段の他方よりも当該眼球に対して奥側に位置決めされることを特徴とする請求項１乃至４のいずれか１項に記載の眼球の光計測装置。
【発明の詳細な説明】
【技術分野】
【０００１】
本発明は、眼球の光計測装置に関する。
【背景技術】
【０００２】
特許文献１には、所定の位置に予め配された眼球に光を照射する光源装置と、前記光源装置から出射された光に照射された前記眼球の角膜と空気との境界面による第１の後方散乱光の強度および角膜と前眼房との境界面による第２の後方散乱光の強度をそれぞれ検出する光検出器と、前記第１および第２の後方散乱光の強度に基づいて、前記前眼房内を満たす眼房水の屈折率を求める屈折率算出手段と、眼房水の屈折率と該眼房水中のグルコース濃度との対応関係が予め記憶された記憶部と、前記記憶部に記憶された対応関係、および前記屈折率算出手段により求められた眼房水の屈折率に基づいて、該眼房水中のグルコース濃度を求めるグルコース濃度算出手段とを備えたことを特徴とするグルコース濃度測定装置が記載されている。
【０００３】
特許文献２には、濃度未知の旋光性物質以外の妨害旋光性物質によって発現する旋光角範囲が既知である尿の旋光角を測定し、前記旋光性物質の濃度Ｃ［ｋｇ／ｄｌ］を（Ａ−Ａｈ）／（α×Ｌ）≦Ｃ≦（Ａ−Ａｌ）／（α×Ｌ）
但し、Ａ：測定された尿の旋光角［ｄｅｇ］
Ａｈ：妨害旋光性物質によって発現する旋光角の最大値［ｄｅｇ］
Ａｌ：妨害旋光性物質によって発現する旋光角の最小値［ｄｅｇ］
α：旋光性物質の比旋光度［ｄｅｇ／ｃｍ・ｄｌ／ｋｇ］
Ｌ：測定光路長［ｃｍ］
の範囲であると判定する尿検査方法が記載されている。
【先行技術文献】
【特許文献】
【０００４】
【特許文献１】特許第３５４３９２３号公報
【特許文献２】特開平０９−１３８２３１号公報
【発明の概要】
【発明が解決しようとする課題】
【０００５】
眼球の目頭側と目尻側に光出射手段及び受光手段を配置するとともに、前眼房を横切る光を出射及び受光する場合において、目頭側と目尻側とで眼球の奥行き方向に対する位置をずらさないで光の出射及び受光を行なおうとすると、目頭側の皮膚が邪魔となり、光出射手段又は受光手段を配置しづらかった。
本発明は、眼球の前眼房を横切る光を出射し、前眼房を横切って眼球から出た光を受光する場合において、目頭側と目尻側とで眼球の奥行き方向に対する位置をずらさないで光の出射及び受光を行なう場合に比べ、光出射手段又は受光手段の配置が容易な眼球の光計測装置を提供する。
【課題を解決するための手段】
【０００６】
請求項１に記載の発明は、被計測者の眼球より前側に設けられた発光部から当該眼球より奥側に向かう光を前眼房を横切るように折り曲げて出射する光出射手段と、前記前眼房を横切った前記光を受光する受光手段と、前記眼球の目尻側に配置される前記光出射手段または前記受光手段の一方が、当該眼球の目頭側に配置される当該光出射手段または当該受光手段の他方よりも当該眼球に対して奥側に位置決めされるように、当該光出射手段及び当該受光手段を保持する保持手段とを備える眼球の光計測装置である。
請求項２に記載の発明は、被計測者の眼球の前眼房を横切るように光を出射する光出射手段と、前記前眼房を横切った後の前記光を前記眼球より前側に折り曲げ、当該折り曲げた光を当該眼球より前側に設けられた受光部で受光する受光手段と、前記眼球の目尻側に配置される前記光出射手段または前記受光手段の一方が、当該眼球の目頭側に配置される当該光出射手段または当該受光手段の他方よりも当該眼球に対して奥側に位置決めされるように、当該光出射手段及び当該受光手段を保持する保持手段とを備える眼球の光計測装置である。
請求項３に記載の発明は、前記保持手段は、前記光出射手段及び前記受光手段の少なくとも一方が前記眼球の露出した領域の範囲外に配置されるように保持することを特徴とする請求項１又は２に記載の眼球の光計測装置である。
請求項４に記載の発明は、前記保持手段は、前記光出射手段及び前記受光手段の両方が前記眼球の露出した領域の範囲外に配置されるように保持することを特徴とする請求項１又は２に記載の眼球の光計測装置である。
請求項５に記載の発明は、前記保持手段は、前記被計測者の顔に接触する端部を有し、当該端部が当該被計測者の顔に接触することで、前記眼球の目尻側に配置される前記光出射手段または前記受光手段の一方が、当該眼球の目頭側に配置される当該光出射手段又は当該受光手段の他方よりも当該眼球に対して奥側に位置決めされることを特徴とする請求項１乃至４のいずれか１項に記載の眼球の光計測装置である。
【発明の効果】
【０００７】
請求項１、２の発明によれば、目頭側と目尻側とで眼球の奥行き方向に対する位置をずらさないで光の出射及び受光を行なう場合に比べ、光出射手段又は受光手段の配置が容易になる。
請求項３の発明によれば、光出射手段及び受光手段を眼球の露出した領域内に配置する場合に比べ、眼球との接触が抑制される。
請求項４の発明によれば、光出射手段及び受光手段の少なくとも一方を眼球の露出した領域内に配置する場合に比べ、眼球との接触がより抑制される。
請求項５の発明によれば、被計測者の顔に接触する端部を備えない場合に比べ、光出射手段又は受光手段の配置が容易になる。
【図面の簡単な説明】
【０００８】
【図１】本実施の形態が適用される光計測装置の構成の一例を示す図である。
【図２】光計測装置によって、前眼房における眼房水に含まれる光学活性物質による偏光面の回転角（旋光度）を計測する方法を説明する図である。
【図３】眼球の概要を説明する図である。（ａ）は、眼球の上下方向の断面図、（ｂ）は、眼球に対する座標系を示す。
【図４】眼球と光路との関係を説明する図である。（ａ）は、眼球を正面から見た図、（ｂ）は、眼球が正面を向いている場合における光路を示す図、（ｃ）は、眼球を外転させた場合における光路を示す図である。
【図５】顔に対して保持部を設置する方法の一例を説明する図である。
【図６】光計測装置により前眼房における眼房水に含まれる光学活性物質の濃度を計測する光計測方法、及び、眼球への光照射及び受光方法を説明するフローチャートである。
【発明を実施するための形態】
【０００９】
以下、添付図面を参照して、本発明の実施の形態について説明する。
（光計測装置１）
図１は、本実施の形態が適用される光計測装置１の構成の一例を示す図である。
この光計測装置１は、被計測者の眼球１０の前眼房１３における眼房水の特性の計測に用いる光学系２０、光学系２０を制御する制御部４０、光学系２０、制御部４０を保持する保持手段の一例としての保持部５０、光学系２０を用いて計測されたデータに基づいて眼房水の特性を算出する算出部６０を備えている。
なお、図１に示す眼球１０は、左目である。
【００１０】
以下では、図１に示す光計測装置１において、紙面の上側と下側との方向を上下方向と呼ぶことがある。また、被計測者の前側と後側との方向を前後方向と呼ぶことがある。また、被計測者から見て内側（目頭側、鼻側）と外側（目尻側、耳側）との方向を内外方向と呼ぶことがある。
【００１１】
光計測装置１が測定する眼房水の特性とは、含まれる光学活性物質による直線偏光の偏光面の回転角（旋光度αＭ）、円偏光に対する吸色度（円二色性）などをいう。ここで、直線偏光の偏光面とは、直線偏光において磁界が振動する面をいう。
【００１２】
眼球１０における前眼房１３とは、レンズとして働く水晶体１２（後述する図３参照）と角膜１４（図３参照）との間の領域で、眼房水で満たされている。そして、前眼房１３は、正面から見た形状が円形である。眼球１０はほぼ球であるが、前眼房１３は球の表面からやや飛び出している。なお、図１はまぶた１７を開いた状態を示している。
【００１３】
光学系２０は、発光部２１、偏光子２２、第１ミラー２３、第２ミラー２４、補償子２５、検光子２６、受光部２７を備えている。
発光部２１は、発光ダイオード（ＬＥＤ）やランプのような波長幅が広い光源であってもよく、レーザのような波長幅が狭い光源であってもよい。なお、波長幅が狭い方が好ましい。
また、少なくとも２以上の波長の光を出射するものであってもよい。
【００１４】
偏光子２２は、例えば、ニコルプリズムなどであって、入射した光から、予め定められた偏光面の直線偏光を通過させる。
【００１５】
第１ミラー２３及び第２ミラー２４は、光路２８を折り曲げるものであって、反射の前後において直線偏光をそのまま維持するものが好ましい。偏光面を回転させたり、直線偏光を楕円偏光にしたりするなど、偏光の状態を乱すものは好ましくない。なお、光路２８を折り曲げる必要がない場合は、第１ミラー２３又は／及び第２ミラー２４を備えなくともよい。
【００１６】
補償子２５は、例えばガーネット等を用いたファラデー素子などの磁気光学素子であって、磁場によって直線偏光の偏光面を回転させる。
【００１７】
検光子２６は、偏光子２２と同様の部材であって、予め定められた偏光面の直線偏光を通過させる。
受光部２７は、シリコンダイオードなどの受光素子であって、光の強度に対応した出力信号を出力する。
【００１８】
なお、計測後に、算出部６０によって算出された眼房水の特性（光学活性物質の濃度など）を表示する表示部（不図示）を備えてもよい。
【００１９】
制御部４０は、光学系２０における発光部２１、補償子２５、受光部２７などを制御して、眼房水の特性に関する計測データを得る。また、計測データを算出部６０に送信する。
【００２０】
保持部５０は、光学系２０及び制御部４０を保持するとともに、端部が眼球１０の周辺の予め定められた位置に接触して位置決めされた状態において、光学系２０に設定された光路２８が前眼房１３における眼房水中を通過するように光学系２０を保持する。保持部５０を眼球１０の周辺に接触させる方法としては、被計測者又は他者が自らの手で光計測装置１を把持して接触させてもよいし、光計測装置１が自動で前後方向に駆動する駆動装置を使用してもよい。また、保持部５０を眼球１０に対して位置決めできるのであれば、接触させる領域は眼球１０の周辺である必要はなく、被計測者の顔の他の領域であってもよく、さらには、接触させずに位置決めできる場合は、接触させなくてもよい。
なお、破線で示す光路２８は、後述するように、眼球１０を回転（後述する外転）させたとき、発光部２１から出射された光が前眼房１３を横切るように通過し、受光部２７で受光されるように設定されればよい。
また、光が前眼房１３を横切るように通過するとは、眼球１０を正面から見た場合において、上下方向よりも内外方向に近い角度（つまり、内外方向の水平軸に対して±４５°未満の範囲）で通過することをいい、前後方向に斜めに通過する場合も含む。
【００２１】
そして、保持部５０は、眼球１０に対して光計測装置１を固定し、光路２８がずれないよう加工された接眼部材５１を備えていてもよい。
【００２２】
図１に示す保持部５０は、円筒を軸方向に平行な面で切断した形状であるが、これは、光学系２０を見やすくするためであって、円筒であってもよい。また、断面が楕円形、四辺形などの筒状であってもよい。さらに、図１と同様に、筒状の一部が切り取られた形状であってもよい。
【００２３】
なお、保持部５０は、メガネのフレームであってもよい。すなわち、光計測装置１を、メガネに光学系２０及び制御部４０を設けたメガネタイプとしてもよい。
【００２４】
算出部６０は、制御部４０から計測データを受信し、眼房水の特性を算出する。
【００２５】
ここでは、発光部２１から出射された光は、光路２８に沿って進み、受光部２７に入射する。すなわち、発光部２１から眼球１０側に向かって出射された光は、偏光子２２を通過後、第１ミラー２３により前眼房１３を横切る方向（目に平行な方向）に折り曲げられる。そして、前眼房１３を横切る方向に通過する。さらに、第２ミラー２４により、目から遠ざかる方向に折り曲げられる。そして、補償子２５、検光子２６を通過して、受光部２７に入射する。
図１において、発光部２１、偏光子２２、第１ミラー２３を含む部分が発光系２０Ａであって、光出射手段の一例である。第２ミラー２４、補償子２５、検光子２６、受光部２７を含む部分が受光系２０Ｂであって、受光手段の一例である。
後述するように、保持部５０は、発光系２０Ａを、受光系２０Ｂに比べて、後側（奥側）にずらした状態、すなわち、非対称で保持している。
なお、発光系２０Ａと受光系２０Ｂとを入れ替えた配置としてもよい。
【００２６】
ここで、光計測装置１を前眼房１３における眼房水を計測し、グルコース濃度の算出に用いる例を説明する。
糖尿病患者は、血液中のグルコース濃度により、投与するインスリンの量が制御される。よって、糖尿病患者には、血液中のグルコース濃度を常に把握することが求められる。そして、血液中のグルコース濃度の計測は、指先などを注射針で穿刺し、微量な血液を採取する方法によるのが主流である。しかし、微量の血液でも採血時の痛みによる苦痛が伴う。そこで、穿刺などの侵襲式検査法に代わる非侵襲式検査法の要求が高まっている。
血清とほぼ同じ成分である前眼房１３における眼房水にはタンパク質、グルコース、アスコルビン酸等が含まれている。そして、血液中のグルコース濃度と眼房水中のグルコース濃度とは相関関係があることが知られている。さらに、眼房水中には、血液中の細胞物質が存在せず、光散乱の影響が小さい。そして、眼房水に含まれるタンパク質、グルコース、アスコルビン酸等は光学活性物質であって、旋光性を有している。すなわち、眼房水は、旋光性を利用して光学的にグルコースなどの濃度を計測する部位として有利である。
【００２７】
光学的に眼房水に含まれる光学活性物質の濃度などを得る手法において、設定することのできる光路は以下の２つである。
一方は、眼球１０に対して垂直に近い角度で光を入射させ、角膜１４（後述する図３参照）と眼房水との界面又は眼房水と水晶体１２（図３参照）との界面で光を反射させ、反射した光を受光（検出）する光路である。他方は、眼球１０に対して平行に近い角度で光を入射させ、前眼房１３における眼房水を通過した光を受光（検出）する光路である。
【００２８】
まず、眼球１０に対して垂直に近い角度で光を入射させる光路は、網膜１６（図３参照）に光が達するおそれがある。特に、発光部２１に、コヒーレント性が高いレーザを用いる場合、網膜１６に光が達することは好ましくない。
これに対し、眼球１０に対して平行に近い角度で光を入射させる光路では、角膜１４を通して前眼房１３を横切るように光を通過させ、眼房水を通過した光を受光（検出）する。このため、光が網膜１６に達することが抑制される。
【００２９】
しかし、眼球１０は、外形がほぼ球であること、光を入射させる側又は通過した光を受光する側のいずれかに鼻（鼻梁）が位置し、その影響を受けて、光学系２０における発光部２１、偏光子２２、補償子２５、検光子２６、受光部２７などを配置するスペースが狭い。
そこで、眼球１０に対して平行に近い角度で光を入射させ、前眼房１３を横切るように通過させるように光路２８を設定するため、図１に示すように、第１ミラー２３、第２ミラー２４を設け、光路２８を折り曲げることで、スペースを有効に利用しようとしている。
なお、光学系２０が小型であれば、光路２８を折り曲げることを要しない。
【００３０】
図２は、光計測装置１によって、前眼房１３における眼房水に含まれる光学活性物質による偏光面の回転角（旋光度）を計測する方法を説明する図である。ここでは、説明を容易にするため、光路２８を折り曲げない（直線である）として、第１ミラー２３及び第２ミラー２４の記載を省略している。
図２に示す光学系２０には、発光部２１、偏光子２２、前眼房１３、補償子２５、検光子２６、受光部２７のそれぞれの間において、光の進行方向から見た偏光の様子を円内の矢印で示している。
【００３１】
発光部２１は、ランダムな偏光面を持つ光を出射するとする。すると、偏光子２２は、予め定められた偏光面の直線偏光を通過させる。図２においては、例として、紙面に対して平行な偏光面の直線偏光が通過するとする。
偏光子２２を通過した直線偏光は、前眼房１３における眼房水に含まれる光学活性物質により、偏光面が回転する。図２では、偏光面は角度αＭ（旋光度αＭ）回転するとする。
【００３２】
次に、補償子２５に磁界を印加することにより、前眼房１３における眼房水に含まれる光学活性物質により回転した偏光面を元に戻す。
そして、検光子２６を通過した直線偏光を受光部２７により受光し、光の強度に対応した出力信号に変換する。
【００３３】
ここで、光学系２０による旋光度αＭの計測方法の一例を説明する。
まず、発光部２１を出射した光が前眼房１３を通過しない状態において、発光部２１、偏光子２２、補償子２５、検光子２６、受光部２７を含む光学系２０において、受光部２７の出力信号が最小になるように、補償子２５及び検光子２６を設定する。図２に示すように、光が前眼房１３を通過しない状態においては、偏光子２２を通過した直線偏光の偏光面は、検光子２６を通過する偏光面と直交している。
なお、図２では、偏光子２２の偏光面と検光子２６を通過する前の偏光面が共に、紙面に平行であるとしている。しかし、補償子２５によって予め偏光面が回転する場合には、検光子２６を通過する前の偏光面が紙面に平行な面から傾いていてもよい。すなわち、光が前眼房１３における眼房水を通過しない状態において、受光部２７の出力信号が最小になるように、補償子２５と検光子２６とを設定すればよい。
【００３４】
次に、光が前眼房１３を通過する状態とする。すると、前眼房１３における眼房水に含まれる光学活性物質によって、偏光面が回転する。このため、受光部２７からの出力信号は、最小値から外れる。そこで、受光部２７からの出力信号が最小になるように、補償子２５に印加する磁場を設定する。すなわち、補償子２５により偏光面を回転させ、検光子２６を通過する偏光面と直交させる。
このとき、補償子２５によって回転させた偏光面の角度が、眼房水に含まれる光学活性物質によって発生した旋光度αＭに対応する。補償子２５に印加した磁場の大きさと回転した偏光面の角度との関係は、事前に知られているので、補償子２５に印加した磁場の大きさから、旋光度αＭが分かる。
なお、旋光度αＭを求める方法として補償子２５を用いた例を述べたが、補償子２５以外で旋光度αＭを求めてもよい。また、図１、図２では、偏光面の回転角（旋光度αＭ）を測定する最も基本的な測定法である直交偏光子法（ただし補償子２５を使用）について示したが、回転検光子法やファラデー変調法、光学遅延変調法といった他の測定方法を適用してもよい。
【００３５】
さらに具体的には、発光部２１から前眼房１３における眼房水に複数の波長λ（波長λ１、λ２、λ３、…）の光を入射し、それぞれに対して旋光度αＭ（旋光度αＭ１、αＭ２、αＭ３、…）を求める。これらの波長λと旋光度αＭとの組が、算出部６０に取り込まれ、求めたい光学活性物質の濃度が算出される。
【００３６】
なお、眼房水には、前述したように複数の光学活性物質が含まれている。よって、計測された旋光度αＭは、複数の光学活性物質それぞれによる旋光度αの和である。そこで、計測された旋光度αＭから、求めたい光学活性物質の濃度を算出することが必要となる。
求めたい光学活性物質の濃度の算出は、例えば、特開平０９−１３８２３１号公報（上記特許文献２）に開示されているような公知の方法を用いればよいので、説明を省略する。
【００３７】
図３は、眼球１０の概要を説明する図である。図３（ａ）は、眼球１０の上下方向の断面図、図３（ｂ）は、眼球１０に対する座標系を示す。
図３（ａ）に示すように、眼球１０は、外形がほぼ球形であって、中央にガラス体１１がある。そして、レンズの役割をする水晶体１２が、ガラス体１１の一部に埋め込まれている。水晶体１２の外側に、前眼房１３があり、その外側に角膜１４がある。水晶体１２の周辺部は虹彩に囲まれ、その中心が瞳孔１５である。水晶体１２に接する部分を除いて、ガラス体１１は、網膜１６で覆われている。
すなわち、前眼房１３は、角膜１４と水晶体１２とで囲まれた領域であって、眼球１０の球形からは、凸状に飛び出している。なお、前眼房１３は、眼房水で満たされている。
【００３８】
図３（ｂ）に示す眼球１０は、左目であって、正面を向いているとする。すなわち、向って左側が目頭側（鼻側）、右側が目尻側（耳側）である。そして、眼球１０が行う回転運動の中心Ｏ（回旋点）を通って、向って右から左に向う軸をＸ軸、奥から手前に向う軸をＹ軸、下から上に向う軸をＺ軸とする。
ここでは、眼球１０が、Ｚ軸を中心として、目頭側（鼻側）に回転することを「内転」、目尻側（耳側）に回転することを「外転」と表記する。なお、右目では、Ｚ軸を中心とする回転の方向、すなわち、「内転」と「外転」の方向が逆になる。
ちなみに、眼球１０がＸ軸を中心として、上方向に回転することを「上転」、下方向に回転することを「下転」、Ｙ軸を中心として回転することを「回旋」という。
ここで、「外転」とは、眼球１０（瞳孔１５）が正面を向いた状態から、目尻側（耳側）に回転する場合の他、眼球１０（瞳孔１５）が上側に向いた状態、例えばＺ軸方向に＋４５°以内の範囲で向いた状態において、目尻側（耳側）に回転する場合や、眼球１０（瞳孔１５）が下側に向いた状態、例えばＺ軸方向に−４５°以内の範囲で向いた状態において、目尻側（耳側）に回転する場合を含む。
また、「内転」についても同様である。
【００３９】
図４は、眼球１０と光路２８との関係を説明する図である。図４（ａ）は、眼球１０を正面から見た図、図４（ｂ）は、眼球１０が正面を向いている場合における光路２８を示す図、図４（ｃ）は、眼球１０を外転させた場合における光路２８を示す図である。図４（ｂ）、図４（ｃ）は、人を頭側（上側）から見た状態を示している。これらは、顔をモデル化したシミュレーションにより作図した。
【００４０】
図４（ａ）に示すように、光路２８は、目尻側（耳側）から目頭側（鼻側）に向かうように設定されている。これは、説明を容易にするためである。光路２８は、目頭側（鼻側）から目尻側（耳側）に向かうように設定されていてもよい。
図４（ｂ）に示すように、眼球１０が正面を向いている場合、発光系２０Ａ（図１参照）から出射した光は、角膜１４を通過して、前眼房１３に入射する。角膜１４及び前眼房１３における眼房水の屈折率が空気より大きく、前眼房１３及び角膜１４が凸状であるため、光路２８は、眼球１０側に曲げられる。そして、前眼房１３を通過した後においても、光路２８は、さらに眼球１０側に曲げられる。よって、前眼房１３を通過した後の光路２８は、顔表面に近づいた軌跡を通る。
一般的な人では、目頭側の皮膚Ｆ１の方が目尻側の皮膚Ｆ２よりも前側に出ており、且つ、目頭側には鼻もあるため、眼球１０が正面を向いている状態では、目頭側に受光系２０Ｂ（図１参照）を配置するスペースを確保しづらい場合がある。
なお、皮膚Ｆ１及び皮膚Ｆ２から、眼球１０が露出した領域Ｒにおける白目の部分（白目部分）Ｉに近接した位置など、眼球１０に非常に近接した位置に受光系２０Ｂを配置することができれば、目頭側の皮膚Ｆ１や鼻の存在が無視できる。しかし、眼球１０に受光系２０Ｂを構成する部材が接触しやすくなってしまう。
【００４１】
これに対し、図４（ｃ）に示すように、眼球１０を外転させた場合、すなわち、視線が目尻側（耳側）に向いている場合には、発光系２０Ａから出射した光は、角膜１４を通過して、前眼房１３に入射する。このとき、眼球１０が外転しているために、図４（ｂ）の場合に比べて、前眼房１３を通過後の光路２８は、顔表面からより離れた軌跡を通る。
眼球１０を外転させることで目頭側のスペースが広くなり、図４（ｂ）に示した正面を向いている場合に比べ、目頭側に受光系２０Ｂが配置しやすくなる。つまり、目頭側の広くなったスペースを活用して、眼球１０が露出している領域Ｒと鼻との間の目頭側の皮膚Ｆ１上に受光系２０Ｂを配置すればよい。この場合、受光系２０Ｂを構成する部材と眼球１０との距離が離れるので、受光系２０Ｂを構成する部材が眼球１０に接触することが抑制される。
また、眼球１０の露出した白目部分Ｉ′に受光系２０Ｂを配置させる場合であっても、白目部分Ｉ′は、図４（ｂ）の眼球１０が正面を向いている場合における白目部分Ｉに比べ、広くなるとともに、光路２８が、眼球１０から離れる。よって、受光系２０Ｂを、眼球１０から離れた位置に配置すれば、受光系２０Ｂを構成する部材が眼球１０に接触することが抑制される。
【００４２】
一方、目尻側は、眼球１０を外転させることで、図４（ｂ）に示した眼球１０が正面を向いた場合に比べ、スペースが狭くなる。しかし、目尻側は目頭側に比べもともとスペースが確保しやすいので、露出した白目部分ＩＩ′、目尻側の皮膚Ｆ２上、又は、それよりも外側に発光系２０Ａを配置すればよい。
【００４３】
発光系２０Ａの部材及び受光系２０Ｂの部材が露出した眼球１０に接触することを抑制するためには、目頭側、目尻側ともに眼球１０が露出している領域Ｒ内に発光系２０Ａ又は／及び受光系２０Ｂを配置せず、眼球が露出している領域Ｒの範囲外、例えば、皮膚Ｆ１上や皮膚Ｆ２上に発光系２０Ａ又は／及び受光系２０Ｂを配置すればよい。このようにすれば、前後方向に位置がずれた場合であっても、部材の眼球１０への接触が抑制される。なお、目頭側又は目尻側の少なくとも一方において、眼球１０が露出している領域Ｒの範囲外に、発光系２０Ａ又は／及び受光系２０Ｂを配置すればよい。
【００４４】
以上では、光路２８を、目尻側（耳側）から目頭側（鼻側）に向かうように設定した場合を説明した。光路２８を、目頭側（鼻側）から目尻側（耳側）に向かうように設定した場合においても同様である。すなわち、上記において、発光系２０Ａを受光系２０Ｂ、受光系２０Ｂを発光系２０Ａに読み替えればよい。
なお、本実施の形態における「皮膚Ｆ１上」、「皮膚Ｆ２上」とは、皮膚に接触している状態、接触していない状態の両方の状態を含むものであり、言い換えれば、眼球を正面から見た場合において皮膚と重なる位置を言う。
【００４５】
光路２８が前眼房１３から外れると、正確な計測が行えない場合がある。よって、光が、前眼房１３から外れずに、前眼房１３を横切るように通過するように光路２８が設定されることで、より正確な計測が行われる。そして、旋光度αＭは、光が前眼房１３における眼房水を通過する長さである光路長の影響を受ける。よって、光路２８が短い場合は、実際に光が通過した光路長と旋光度αＭを算出するために使用する光路長との相対的なばらつきが大きくなりやすいため、光路２８が長い場合と比較して、計測の精度が悪くなりやすい。
本実施の形態では、前眼房１３を横切るように光路２８を設定するので、前述した眼球１０に対して垂直に近い角度で光を入射させる場合に比べて、光路長が長く設定される。これにより、垂直に近い角度で光を入射させる場合に比べて、計測の精度を高めやすい。
【００４６】
図５は、顔に対して保持部５０を設置する方法の一例を説明する図である。
図４で説明したように、一般的な人では、目頭側の皮膚Ｆ１の方が目尻側の皮膚Ｆ２よりも前側に出ている。このため、保持部５０は、顔の目頭側の皮膚Ｆ１及び目尻側の皮膚Ｆ２の形状（凹凸）に沿うように設けられている。すなわち、目尻側の皮膚Ｆ２に接触する目尻側端部５０Ｂは、目頭側の皮膚Ｆ１に接触する保持部５０の目頭側端部５０Ａに比べて、後側（奥側）にずれている。言い換えると、保持部５０は、目頭側と目尻側とで、非対称に構成されている。また、保持部５０によって保持される発光系２０Ａと受光系２０Ｂも同様に、目頭側に配置される方が眼球１０の前後方向に対して前側、目尻側に配置される方が眼球１０の前後方向に対して後側となるように、お互いにずれて配置されている。
【００４７】
（光計測方法、及び、眼球への光照射及び受光方法）
図６は、光計測装置１により前眼房１３における眼房水に含まれる光学活性物質の濃度を計測する光計測方法、及び、眼球１０への光照射及び受光方法を説明するフローチャートである。
まず、被計測者が、光計測装置１の電源を入れて、光計測装置１を装着する（ステップ１１、図６ではＳ１１と表記する。以下同様とする）。光計測装置１は、電源が入れられると、光学系２０、制御部４０、算出部６０が動作状態になる。
次に、制御部４０により被計測者が光計測装置１の装着を完了（装着完了）したか否かが判断される（ステップ１２）。例えば、光計測装置１に装着完了を通知するボタンを設け、被計測者が光計測装置１の装着完了後に、装着完了を通知するボタンを押すようにする。そして、装着完了を通知するボタンが押されたか否かによって、制御部４０は、被計測者が光計測装置１の装着を完了したか否かを判断してもよい。
ステップ１２において、否定（Ｎｏ）の判断がされた場合、すなわち、装着完了でない場合は、ステップ１２に戻って、装着完了を待つ。
【００４８】
一方、肯定（Ｙｅｓ）の判断がされた場合、計測を開始（計測開始）してよいか否かが判断される（ステップ１３）。例えば、光計測装置１に計測開始を指示するボタンを設け、被計測者が光計測装置１の装着完了後に、計測開始を指示するボタンを押すようにする。そして、計測開始を通知するボタンが押されたか否かによって、制御部４０は、計測を開始してよいか否かを判断してもよい。
ステップ１３において、否定（Ｎｏ）の判断がされた場合、すなわち、計測開始でない場合は、ステップ１３に戻って、計測開始を待つ。
【００４９】
一方、肯定（Ｙｅｓ）の判断がされた場合、すなわち、計測開始が指示された場合には、制御部４０は、発光系２０Ａにおける発光部２１から光を出射して（ステップ１４）、前眼房１３における眼房水を通過した光の旋光度αＭを計測する（ステップ１５）。次に、制御部４０は、計測した旋光度αＭなどの計測データを算出部６０に送信する。
すると、算出部６０は、計測対象物である眼房水において求めたい光学活性物質の濃度を算出（計測対象物の濃度算出）する（ステップ１６）。
【００５０】
図６のフローチャートでは、例として、眼房水に含まれる求めたい光学活性物質の濃度を算出する方法を説明したが、眼房水の他の特性を計測するように構成してもよい。
また、眼房水に関する特性のみならず、光路２８に存在する角膜等に関する特性を求めるために本実施の形態で説明した構成を応用してもよい。すなわち、眼球１０の外部から光を入射させ、角膜１４及び前眼房１３内の眼房水に光を通過させることで、眼球１０に関する特性を求めるものであれば、本実施の形態で説明した構成が適用できる。
【００５１】
なお、本実施の形態では、左目で説明したが、右目に適用してもよい。眼球１０の外転の方向は、鼻から遠ざかる方向であって、共に、発光系２０Ａから出射された光が、前眼房１３を横切るように通過して、受光系２０Ｂにて受光されるように光路２８を設定できる。
また、本実施の形態では、保持部５０は、発光系２０Ａを、受光系２０Ｂに比べて、後側（奥側）にずらした状態、すなわち、非対称で保持した形態を開示しているが、本発明は必ずしもこのような形態に限定されない。眼球１０の前眼房を横切る光の照射及び受光を、眼球１０が外転した状態で実施できる構造であれば、発光系２０Ａと受光系２０Ｂとを対称で保持した形態であってもよいし、本実施の形態で開示する以外の非対称の構造であってもよい。
さらに、制御部４０と算出部６０とが一体に構成されてもよく、制御部４０と算出部６０とのデータの送受信は有線で行っても、無線で行ってもよい。
【符号の説明】
【００５２】
１…光計測装置、１０…眼球、１１…ガラス体、１２…水晶体、１３…前眼房、１４…角膜、１５…瞳孔、１６…網膜、２０…光学系、２０Ａ…発光系、２０Ｂ…受光系、２１…発光部、２２…偏光子、２３…第１ミラー、２４…第２ミラー、２５…補償子、２６…検光子、２７…受光部、２８…光路、４０…制御部、５０…保持部、５１…接眼部材、６０…算出部
【図１】
0005920549.tif 000002
【図２】
0005920549.tif 000003
【図３】
0005920549.tif 000004
【図４】
0005920549.tif 000005
【図５】
0005920549.tif 000006
【図６】
0005920549.tif 000007